(57)【要約】本発明の実施形態は、ネットワーク・スライス管理方法、管理ユニット、及びシステムを提供する。方法は、第１管理ユニットによって、ネットワーク・スライスの要件情報又はネットワーク・スライスの要件情報を得るために使用されるインジケーション情報を運ぶ第１管理要求を受けることと、第１管理ユニットによって、ネットワーク・スライスを形成するサブネットの要件情報を決定することとを含む。この方法において、第１管理ユニットは、ネットワーク・スライスの要件情報に基づき、サブネットの対応する要件情報を決定することができる。このようにして、ネットワーク・スライスは、ネットワーク・スライスの要件情報に基づき自動的にデプロイされ得、それによって、ネットワーク・スライス・デプロイメント効率を改善する。
2019534643.tif 000002
【特許請求の範囲】
【請求項１】
ネットワーク・スライスの管理の方法であって、
第１管理ユニットによって第１管理要求を受けることであり、前記第１管理要求は、ネットワーク・スライスの要件情報又はインジケーション情報を運び、前記インジケーション情報は、前記ネットワーク・スライスの前記要件情報を得るために使用され、前記第１管理要求は、前記第１管理ユニットに、前記ネットワーク・スライスの前記要件情報に基づき前記ネットワーク・スライスを管理するよう指示するために使用される、前記受けることと、
前記第１管理ユニットによって、前記ネットワーク・スライスを形成するサブネットの要件情報を決定することであり、前記サブネットの前記要件情報は、前記サブネットを管理するために使用され、前記ネットワーク・スライスは、少なくとも１つのサブネットを有する、前記決定することと
を有する方法。
【請求項２】
前記第１管理ユニットによって第１管理要求を受けることの後で、当該方法は、
前記第１管理ユニットによってネットワーク・スライス識別子を前記ネットワーク・スライスに割り当てること
を更に有する、
請求項１に記載の方法。
【請求項３】
前記第１管理ユニットによって第２管理要求を第２管理ユニットへ送ることを更に有し、
前記第２管理要求は、前記サブネットの前記要件情報を運び、前記第２管理要求は、前記第２管理ユニットに、前記サブネットの前記要件情報に基づき前記サブネットを管理するよう指示するために使用される、
請求項１又は２に記載の方法。
【請求項４】
前記第２管理要求は更に、前記ネットワーク・スライス識別子を運ぶ、
請求項３に記載の方法。
【請求項５】
前記第１管理ユニットによって前記サブネットの識別子を前記第２管理ユニットから受けることを更に有する
請求項３に記載の方法。
【請求項６】
前記第１管理ユニットによって前記サブネットの前記識別子を前記ネットワーク・スライス識別子と関連付けることを更に有する
請求項５に記載の方法。
【請求項７】
前記第１管理ユニットによって、前記サブネットの前記要件情報を満足するサブネット・インスタンスを既存のネットワークから選択することを更に有する
請求項１に記載の方法。
【請求項８】
前記第１管理ユニットによって前記サブネット・インスタンスの識別子を前記ネットワーク・スライス識別子と関連付けることを更に有する
請求項７に記載の方法。
【請求項９】
前記第１管理要求が前記インジケーション情報を運ぶ場合に、第１管理ユニットによって第１管理要求を受けることの後で、当該方法は、
前記第１管理ユニットによって前記インジケーション情報に基づきネットワーク・スライス記述子を得ることと、
前記第１管理ユニットによって前記ネットワーク・スライス記述子に基づき前記ネットワーク・スライスの前記要件情報を得ることと
を更に有する、
請求項１乃至８のうちいずれか一項に記載の方法。
【請求項１０】
前記第１管理ユニットによって、前記ネットワーク・スライスを形成するサブネットの要件情報を決定することは、
前記第１管理ユニットによって、前もってセットされたルールに従って、前記サブネットの前記要件情報を決定することを有する、
請求項１乃至９のうちいずれか一項に記載の方法。
【請求項１１】
前記サブネットを管理することは、前記サブネットを作り出すこと、選択すること、構成すること、又はアクティブにすることを有する、
請求項１乃至１０のうちいずれか一項に記載の方法。
【請求項１２】
前記ネットワーク・スライスの前記要件情報は、次のもの：前記ネットワーク・スライスのタイプ、前記ネットワーク・スライスのサービス・レベル・アグリメントＳＬＡ情報、前記ネットワーク・スライスのデプロイメント情報、前記ネットワーク・スライスのキー・パフォーマンス・インジケータＫＰＩ、前記ネットワーク・スライスのネットワーク特性、前記ネットワーク・スライスのユーザ情報、又は前記ネットワーク・スライスによって提供されるサービスに関する情報、の中の少なくとも１つを有する、
請求項１乃至１１のうちいずれか一項に記載の方法。
【請求項１３】
前記サブネットの前記要件情報は、次のもの：前記サブネットのタイプ、前記サブネットのＳＬＡ情報、前記サブネットのデプロイメント情報、前記サブネットのＫＰＩ、又は前記サブネットの機能特性、の中の少なくとも１つを有する、
請求項１乃至１２のうちいずれか一項に記載の方法。
【請求項１４】
処理ユニット及び通信ユニットを有する第１管理ユニットであって
前記処理ユニットは、前記通信ユニットを使用することによって第１管理要求を受けるよう構成され、前記第１管理要求は、ネットワーク・スライスの要件情報又はインジケーション情報を運び、前記インジケーション情報は、前記ネットワーク・スライスの前記要件情報を得るために使用され、前記第１管理要求は、当該第１管理ユニットに、前記ネットワーク・スライスの前記要件情報に基づき前記ネットワーク・スライスを管理するよう指示するために使用され、
前記処理ユニットは、前記ネットワーク・スライスを形成するサブネットの要件情報を決定するよう構成され、前記サブネットの前記要件情報は、前記サブネットを管理するために使用され、前記ネットワーク・スライスは、少なくとも１つのサブネットを有する、
第１管理ユニット。
【請求項１５】
前記処理ユニットは更に、ネットワーク・スライス識別子を前記ネットワーク・スライスに割り当てるよう構成される、
請求項１４に記載の第１管理ユニット。
【請求項１６】
前記処理ユニットは更に、前記通信ユニットを使用することによって第２管理要求を第２管理ユニットへ送るよう構成され、
前記第２管理要求は、前記サブネットの前記要件情報を運び、前記第２管理要求は、前記第２管理ユニットに、前記サブネットの前記要件情報に基づき前記サブネットを管理するよう指示するために使用される、
請求項１４又は１５に記載の第１管理ユニット。
【請求項１７】
前記第２管理要求は更に、前記ネットワーク・スライス識別子を運ぶ、
請求項１６に記載の第１管理ユニット。
【請求項１８】
前記処理ユニットは更に、前記通信ユニットを使用することによって前記サブネットの識別子を前記第２管理ユニットから受けるよう構成される、
請求項１６に記載の第１管理ユニット。
【請求項１９】
前記処理ユニットは更に、前記サブネットの前記識別子を前記ネットワーク・スライス識別子と関連付けるよう構成される、
請求項１８に記載の第１管理ユニット。
【請求項２０】
前記処理ユニットは更に、前記サブネットの前記要件情報を満足するサブネット・インスタンスを既存のネットワークから選択するよう構成される、
請求項１４に記載の第１管理ユニット。
【請求項２１】
前記処理ユニットは更に、前記サブネット・インスタンスの識別子を前記ネットワーク・スライス識別子と関連付けるよう構成される、
請求項２０に記載の第１管理ユニット。
【請求項２２】
前記第１管理要求が前記インジケーション情報を運ぶ場合に、前記処理ユニットは更に、前記インジケーション情報に基づきネットワーク・スライス記述子を得、該ネットワーク・スライス記述子に基づき前記ネットワーク・スライスの前記要件情報を得るよう構成される、
請求項１４乃至２１のうちいずれか一項に記載の第１管理ユニット。
【請求項２３】
前記処理ユニットは、前もってセットされたルールに従って、前記サブネットの前記要件情報を決定するよう特に構成される、
請求項１４乃至２２のうちいずれか一項に記載の第１管理ユニット。
【請求項２４】
前記サブネットを管理することは、前記サブネットを作り出すこと、選択すること、構成すること、又はアクティブにすることを有する、
請求項１４乃至２３のうちいずれか一項に記載の第１管理ユニット。
【請求項２５】
前記ネットワーク・スライスの前記要件情報は、次のもの：前記ネットワーク・スライスのタイプ、前記ネットワーク・スライスのサービス・レベル・アグリメントＳＬＡ情報、前記ネットワーク・スライスのデプロイメント情報、前記ネットワーク・スライスのキー・パフォーマンス・インジケータＫＰＩ、前記ネットワーク・スライスのネットワーク特性、前記ネットワーク・スライスのユーザ情報、又は前記ネットワーク・スライスによって提供されるサービスに関する情報、の中の少なくとも１つを有する、
請求項１４乃至２４のうちいずれか一項に記載の第１管理ユニット。
【請求項２６】
前記サブネットの前記要件情報は、次のもの：前記サブネットのタイプ、前記サブネットのＳＬＡ情報、前記サブネットのデプロイメント情報、前記サブネットのＫＰＩ、又は前記サブネットの機能特性、の中の少なくとも１つを有する、
請求項１４乃至２５のうちいずれか一項に記載の第１管理ユニット。
【発明の詳細な説明】
【技術分野】
【０００１】
本発明の実施形態は、通信分野に、特に、ネットワーク・スライス管理方法、管理ユニット、及びシステムに関係がある。
【背景技術】
【０００２】
ネットワーク要件の継続的成長とともに、電気通信オペレータは、インフラを共有すること、特定のネットワーク機能を提供すること、及びパートナーの強力且つ豊富なソフトウェア能力を次世代ネットワーク・システムに統合することなどを含め、異なる顧客と協働するよう更なる技術を提供する必要がある。ネットワーク・スライシングは、異なるユーザ及び異なる産業の特別なネットワーク要件を満たすために次世代ネットワーク・システムで使用される重要な技術的手段である。ネットワーク・スライスは、運ばれるサービスがサービス・レベル・アグリメント（Service  Level  Agreement，略してＳＬＡ）要件を満たすことができることを確かにするための通信リソースである。それらのリソースは、種々の要件に基づき物理的又は論理的に互いから分離され得る。ネットワーク・スライスは、特定のサービス又はいくつかのサービスを完了するために必要とされるネットワーク機能及びリソースの組み合わせであり、完結した論理ネットワークであると考えられ得る。次世代ネットワーク・システムでは、異なるテナントが、電気通信オペレータのネットワークを賃借することによって彼ら自身のサービスを展開することができる。例えば、電力会社は、電気通信オペレータのネットワークを賃借することによってそのメーター検針サービスを展開することができ、そして、電気通信オペレータは、異なるテナントが使用するための異なるネットワーク・スライスにそれ自身のネットワークを分割する。
【０００３】
現在、ネットワーク・スライス・デプロイメントの間、サービス要求を受けた後に、ネットワーク管理サービス設計者は、サービス要求を満足するようネットワーク・スライスを手動でデプロイする必要がある。ネットワーク・スライスを手動でデプロイするこの方法は非効率的である。
【発明の概要】
【０００４】
本発明の実施形態は、先行技術におけるネットワーク・スライス・デプロイメント効率の低さの問題を解決するよう、ネットワーク・スライス管理方法、管理ユニット、及びシステムを提供する。
【０００５】
本発明の実施形態の第１の態様に従って、ネットワーク・スライス管理方法が提供される。当該方法は：第１管理ユニットによって第１管理要求を受けることであり、前記第１管理要求は、ネットワーク・スライスの要件情報又はインジケーション情報を運び、前記インジケーション情報は、前記ネットワーク・スライスの前記要件情報を得るために使用される、前記受けることと；前記第１管理ユニットによって、前記ネットワーク・スライスを形成するサブネットの要件情報を決定することとを含む。
【０００６】
前記第１管理要求は、前記第１管理ユニットに、前記ネットワーク・スライスの前記要件情報に基づき前記ネットワーク・スライスを管理するよう指示するために使用される。前記サブネットの前記要件情報は、前記サブネットを管理するために使用される。前記ネットワーク・スライスは、少なくとも１つのサブネットを含む。前記サブネットは、代替的に、サブネット・スライスであってよい。
【０００７】
この方法において、ネットワーク・スライスの要件情報又はインジケーション情報を運ぶ第１管理要求を受けた後に、第１管理ユニットは、ネットワーク・スライスの要件情報に基づき、対応するサブネット要件を決定することができ、ここで、サブネット要件は、複数のサブネットの要件であってよい。第１管理ユニットは、サブネット要件を、対応するサブネットの管理ユニットへ送り、そして、対応するサブネットの管理ユニットは、ネットワーク・スライスの要件情報に基づき自動のネットワーク・スライス・デプロイメントを実施し、それによってネットワーク・スライス・デプロイメント効率を大いに改善するために、ネットワーク・スライスの要件情報を満足することができるネットワーク・リソース・インスタンスを決定する。
【０００８】
方法は、第１管理ユニットの視点から記載される。第１管理ユニットは、エンド・ツー・エンド・マネージャ及びオーケストレータ・ユニットのような、ネットワーク・スライス管理機能を有しているエンティティであってよい。
【０００９】
可能な設計では、第１管理要求を受けた後に、第１管理ユニットは更に、ネットワーク・スライス識別子をネットワーク・スライスに割り当てる。ネットワーク・スライス識別子は、ネットワーク・スライス・インスタンスの識別子であってよい。
【００１０】
可能な設計では、サブネットの要件情報を決定した後に、第１ユニットは更に、第２管理要求を第２管理ユニットへ送ってよく、ここで、第２管理要求はサブネットの要件情報を運ぶ。第２管理要求は、第２管理ユニットに、サブネットの要件情報に基づきサブネットを管理するよう指示するために使用される。
【００１１】
可能な設計では、第１管理ユニットがネットワーク・スライス識別子を割り当てた場合に、ネットワーク・スライス識別子は、第２管理要求においても運ばれてよい。
【００１２】
可能な設計では、第１管理ユニットから第２管理要求を受けた後に、第２管理ユニットは更に、サブネットの識別子をサブネットに割り当ててよい。更には、第２管理ユニットは更に、サブネットの識別子を第１管理ユニットへ送ってよい。
【００１３】
そのような設計において、第２管理ユニットからサブネットの識別子を受けた後に、第１管理ユニットは更に、サブネットの識別子をネットワーク・スライス識別子と関連付けてよい。
【００１４】
可能な設計では、第２管理ユニットが第１管理ユニットから第２管理要求を受けた後に、サブネットの要件情報を満足するサブネット・インスタンスが既存のネットワークに既に存在する場合には、第２管理ユニットは、サブネットの要件情報を満足するサブネット・インスタンスを既存のネットワークから直接選択してよい。更には、第２管理ユニットは更に、サブネット・インスタンスの識別子を第１管理ユニットへ送ってよい。
【００１５】
そのような設計において、第２管理ユニットからサブネットの識別子を受けた後に、第１管理ユニットは更に、サブネット・インスタンスの識別子をネットワーク・スライス識別子と関連付けてよい。
【００１６】
可能な設計では、サブネットの要件情報を満足するサブネット・インスタンスが既存のネットワークに既に存在する場合には、第１管理ユニットは、サブネットの要件情報を満足するサブネット・インスタンスを既存のネットワークから直接選択してよい。更には、第１管理ユニットは、サブネット・インスタンスの識別子をネットワーク・スライス識別子と関連付けてよい。
【００１７】
可能な設計では、第１管理ユニットによって受け取られた第１管理要求がインジケーション情報を運ぶ場合には、第１管理ユニットは、最初に、インジケーション情報に基づきネットワーク・スライス記述子を得、次いで、ネットワーク・スライス記述子に基づきネットワーク・スライスの要件情報を得てよい。ネットワーク・スライス識別子は、ネットワーク・スライス・テンプレートなどであってよい。
【００１８】
可能な設計では、ネットワーク・スライスを形成するサブネットの要件情報を決定するときに、第１管理ユニットは、前もってセットされたルールに従って、サブネットの要件情報を決定してよい。
【００１９】
本発明の実施形態の第２の態様に従って、ネットワーク・スライス管理方法が提供される。当該方法は：第２管理ユニットによって第１管理ユニットから第２管理要求を受けることであり、前記第２管理要求はサブネットの要件情報を運び、前記第２管理要求は、前記第２管理ユニットに、前記サブネットの前記要件情報に基づき前記サブネットを管理するよう指示するために使用される、前記受けることと；前記第２管理ユニットによって、前記サブネットの前記要件情報を満足するネットワーク・リソースの要件情報を決定することであり、前記ネットワーク・リソースの前記要件情報は、前記ネットワーク・リソースの前記要件情報を満足するネットワーク・リソース・インスタンスを選択し、作り出し、構成し、又はアクティブにするために使用され、前記ネットワーク・リソース・インスタンスは、前記サブネットを提供するために使用される、前記決定することとを含む。
【００２０】
この方法において、第１管理ユニットからサブネット要件を受けた後に、第２管理ユニットは、ネットワーク・スライスの要件情報に基づき自動のネットワーク・スライス・デプロイメントを実施し、それによってネットワーク・スライス・デプロイメント効率を大いに改善するために、サブネット要件に基づき、サブネット要件を満足することができるネットワーク・リソース・インスタンスを自動で決定する。
【００２１】
方法は、第２管理ユニットの視点から記載される。例えば、第２管理ユニットは、コア・ネットワーク・ドメイン・オーケストレータ及びマネージャ・ユニット、アクセス・ドメイン・オーケストレータ及びマネージャ・ユニット、又は送信ドメイン・オーケストレータ及びマネージャ・ユニットのようなエンティティであってよい。
【００２２】
可能な設計では、第１管理ユニットから第２管理要求を受けた後に、第２管理ユニットは更に、サブネットの識別子をサブネットへ割り当ててよい。更には、第２管理ユニットは更に、サブネットの識別子を第１管理ユニットへ送ってよい。
【００２３】
そのような設計において、第２管理ユニットからサブネットの識別子を受けた後に、第１管理ユニットは更に、サブネットの識別子をネットワーク・スライス識別子と関連付けてよい。
【００２４】
可能な設計では、第２管理ユニットが第１管理ユニットから第２管理要求を受けた後に、サブネットの要件情報を満足するサブネット・インスタンスが既存のネットワークに既に存在する場合には、第２管理ユニットは、サブネットの要件情報を満足するサブネット・インスタンスを既存のネットワークから直接選択してよい。更には、第２管理ユニットは更に、サブネット・インスタンスの識別子を第１管理ユニットへ送ってよい。
【００２５】
そのような設計において、第２管理ユニットからサブネットの識別子を受けた後に、第１管理ユニットは更に、サブネット・インスタンスの識別子をネットワーク・スライス識別子と関連付けてよい。
【００２６】
可能な設計では、サブネットの要件情報を満足するネットワーク・リソースの要件情報を決定した後に、第２管理ユニットは、第３管理要求を第３管理ユニットへ送り、ここで、第３管理要求は、ネットワーク・リソースの要件情報を運び、第３管理要求は、ネットワーク・リソース・インスタンスを要求するために使用される。
【００２７】
可能な設計では、第２管理要求は、第１管理ユニットによってネットワーク・スライスに割り当てられているネットワーク・スライス識別子を更に運び、ここで、ネットワーク・スライスは少なくとも１つのサブネットを含む。相応して、第２管理ユニットが第１管理ユニットから第２管理要求を受けた後に、第２管理ユニットは更に、ネットワーク・スライス識別子がサブネット識別子であると決定してよく、ここで、サブネット識別子はサブネットの識別子であり；あるいは、第２管理ユニットは更に、サブネット識別子をサブネットに割り当て、サブネット識別子をネットワーク・スライス識別子と関連付けてよく、ここで、サブネット識別子はサブネットの識別子又はサブネット・インスタンスの識別子である。
【００２８】
可能な設計では、ネットワーク・リソースの要件情報を満足するネットワーク・リソース・インスタンスが既存のネットワークに存在する場合には、ネットワーク・リソースの要件情報を決定した後に、第２管理ユニットは、ネットワーク・リソースの要件情報を満足するネットワーク・リソース・インスタンスを既存のネットワークから直接選択してよい。
【００２９】
可能な設計では、第２管理ユニットがネットワーク・リソースの要件情報を決定するとき、第２管理ユニットは、サブネットの要件情報を含むサブネット記述子を決定し、次いで、サブネット記述子に基づき、サブネットの要件情報を満足するネットワーク・リソースの要件情報を決定してよく；あるいは、第２管理ユニットは、前もってセットされたルールに従って、サブネットの要件情報を満足するネットワーク・リソースの要件情報を決定してよい。
【００３０】
本発明の実施形態の第３の態様に従って、ネットワーク・スライス管理方法が提供される。当該方法は：第３管理ユニットによって第２管理ユニットから第３管理要求を受けることであり、ここで、前記第３管理要求はネットワーク・リソースの要件情報を運び、前記第３管理要求は、前記ネットワーク・リソースの前記要件情報を満足するネットワーク・リソース・インスタンスを要求するために使用される、前記受けることと；次いで、前記第３管理ユニットによって、前記ネットワーク・リソース・インスタンスを選択し、デプロイし、構成し、又はアクティブにすることとを含む。
【００３１】
この方法において、ネットワーク・リソースの要件情報を運ぶ、第２管理ユニットによって送られる第３管理要求を受けた後に、第３管理ユニットは、ネットワーク・スライスの要件情報に基づき自動のネットワーク・スライス・デプロイメントを実施し、それによって、ネットワーク・スライス・デプロイメント効率を大いに改善するために、ネットワーク・リソース要件に基づきネットワーク・リソース・インスタンスを自動で選択し、デプロイし、構成し、又はアクティブにする。
【００３２】
方法は、第３管理ユニットの視点から記載される。例えば、第３管理ユニットは、コア・ネットワークのネットワーク機能コントローラ・ユニット、アクセス・ネットワークのネットワーク機能コントローラ・ユニット、又は送信ネットワークのネットワーク・マネージャ及びコントローラ・ユニットのようなエンティティであってよい。
【００３３】
可能な設計では、ネットワーク・リソースの要件情報がネットワーク・リソースのインスタンス情報を含まない場合には、ネットワーク・リソース・インスタンスを選択し、デプロイし、構成し、又はアクティブにするとき、第３管理ユニットは、最初に、ネットワーク・リソース・インスタンスの要件情報を決定し、次いで、ネットワーク・リソース・インスタンスの要件情報を満足するネットワーク・リソース・インスタンスを選択し、デプロイし、構成し、又はアクティブにしてよい。
【００３４】
第１の態様乃至第３の態様で提供されるネットワーク・スライス管理方法では、サブネットを管理することは、サブネットを作り出し、選択し、構成し、又はアクティブにすることを意味する。
【００３５】
ネットワーク・スライスの要件情報は、次のもの：ネットワーク・スライスのタイプ、ネットワーク・スライスに関する情報、ネットワーク・スライスのデプロイメント情報、ネットワーク・スライスのキー・パフォーマンス・インジケータＫＰＩ、ネットワーク・スライスのネットワーク特性、ネットワーク・スライスのユーザ情報、又はネットワーク・スライスによって提供されるサービスに関する情報、の中の少なくとも１つを含んでよい。
【００３６】
サブネットの要件情報は、次のもの：サブネットのタイプ、サブネットのＳＬＡ情報、サブネットのデプロイメント情報、サブネットのＫＰＩ、又はサブネットの機能特性、の中の少なくとも１つを含んでよい。
【００３７】
ネットワーク・リソースの要件情報は、次のもの：ネットワーク・リソースのタイプ、ネットワーク・リソースの記述子情報、ネットワーク・リソースのインスタンス情報、ネットワーク・リソースのＫＰＩ、又はネットワーク・リソースの機能特性、の中の少なくとも１つを含んでよい。
【００３８】
ネットワーク・リソース・インスタンスは、次のもの：ネットワーク機能、ネットワーク要素、ネットワーク・サービス、又は伝送リソース、の中の少なくとも１つを含んでよい。
【００３９】
「サブネット識別子」、「サブネットの識別子」、及び「サブネット・インスタンスの識別子」は全て、サブネットを一意的に識別することができる識別子を表すために使用される。３つの語は同義的に使用可能であり、これは本発明の実施形態において制限されない。
【００４０】
本発明の実施形態の第４の態様に従って、第１管理ユニットが提供され、ここで、当該第１管理ユニットは、前述の方法の例における第１管理ユニットの挙動を実施するための機能を有している。機能は、ハードウェアによって実施されてよく、あるいは、ハードウェアが対応するソフトウェアを実行することによって実施されてよい。ハードウェア又はソフトウェアは、前述の機能に対応する１つ以上のモジュールを含む。
【００４１】
可能な設計では、当該第１管理ユニットはプロセッサを含み、該プロセッサは、当該第１管理ユニットが前述の方法における対応する機能を実行するためのサポートを提供するよう構成される。更には、当該第１管理ユニットは通信インターフェイスを更に含んでよく、該通信インターフェイスは、当該第１管理ユニットと第２管理ユニットとの間の通信、又は当該第１管理ユニットと他のユニットとの間の通信をサポートするよう構成される。更には、当該第１管理ユニットはメモリを更に含んでよく、該メモリは、前記プロセッサへ結合し、当該第１管理ユニットにとって必要であるデータ及びプログラム命令を記憶するよう構成される。
【００４２】
本発明の実施形態の第５の態様に従って、第２管理ユニットが提供され、ここで、当該第２管理ユニットは、前述の方法の例における第２管理ユニットの挙動を実施するための機能を有している。機能は、ハードウェアによって実施されてよく、あるいは、ハードウェアが対応するソフトウェアを実行することによって実施されてよい。ハードウェア又はソフトウェアは、前述の機能に対応する１つ以上のモジュールを含む。
【００４３】
可能な設計では、当該第２管理ユニットはプロセッサを含み、該プロセッサは、当該第２管理ユニットが前述の方法における対応する機能を実行するためのサポートを提供するよう構成される。更には、当該第２管理ユニットは通信インターフェイスを更に含んでよく、該通信インターフェイスは、当該第２管理ユニットと第１管理ユニットとの間の通信、又は当該第２管理ユニットと第３管理ユニットとの間の通信、又は当該第２管理ユニットと他のユニットとの間の通信をサポートするよう構成される。更には、当該第２管理ユニットはメモリを更に含んでよく、該メモリは、前記プロセッサへ結合し、当該第２管理ユニットにとって必要であるデータ及びプログラム命令を記憶するよう構成される。
【００４４】
本発明の実施形態の第６の態様に従って、第３管理ユニットが提供され、ここで、当該第３管理ユニットは、前述の方法の例における第３管理ユニットの挙動を実施するための機能を有している。機能は、ハードウェアによって実施されてよく、あるいは、ハードウェアが対応するソフトウェアを実行することによって実施されてよい。ハードウェア又はソフトウェアは、前述の機能に対応する１つ以上のモジュールを含む。
【００４５】
可能な設計では、当該第３管理ユニットはプロセッサを含み、該プロセッサは、当該第３管理ユニットが前述の方法における対応する機能を実行するためのサポートを提供するよう構成される。更には、当該第３管理ユニットは通信インターフェイスを更に含んでよく、該通信インターフェイスは、当該第３管理ユニットと第２管理ユニットとの間の通信、又は当該第３管理ユニットと他のユニットとの間の通信をサポートするよう構成される。更には、当該第３管理ユニットはメモリを更に含んでよく、該メモリは、前記プロセッサへ結合し、当該第３管理ユニットにとって必要であるデータ及びプログラム命令を記憶するよう構成される。
【００４６】
本発明の実施形態の第７の態様に従って、通信システムが提供される。当該システムは、前述の態様に従う第１管理ユニットを含み；あるいは、当該システムは、前述の態様に従う第１管理ユニット及び第２管理ユニットを含み；あるいは、当該システムは、前述の態様に従う第１管理ユニット、第２管理ユニット、及び第３管理ユニットを含む。
【００４７】
本発明の実施形態の第８の態様に従って、コンピュータ記憶媒体が提供され、前述の第１管理ユニットによって使用されるコンピュータ・ソフトウェア命令を記憶するよう構成され、ここで、該コンピュータ・ソフトウェア命令は、前述の態様を実行するよう設計されたプログラムを含む。
【００４８】
本発明の実施形態の第９の態様に従って、コンピュータ記憶媒体が提供され、前述の第２管理ユニットによって使用されるコンピュータ・ソフトウェア命令を記憶するよう構成され、ここで、該コンピュータ・ソフトウェア命令は、前述の態様を実行するよう設計されたプログラムを含む。
【００４９】
本発明の実施形態の第１０の態様に従って、コンピュータ記憶媒体が提供され、前述の第３管理ユニットによって使用されるコンピュータ・ソフトウェア命令を記憶するよう構成され、ここで、該コンピュータ・ソフトウェア命令は、前述の態様を実行するよう設計されたプログラムを含む。
【００５０】
先行技術と比較して、本発明の実施形態の解決法では、ネットワーク・スライスの要件情報又はインジケーション情報を運ぶ第１管理要求を受けた後に、第１管理ユニットは、ネットワーク・スライスの要件情報に基づき自動のネットワーク・スライス・デプロイメントを実施し、それによってネットワーク・スライス・デプロイメント効率を改善するために、ネットワーク・スライスを形成するサブネットの要件情報を決定することができる。
【図面の簡単な説明】
【００５１】
本発明の実施形態における又は先行技術における技術的解決法をより明りょうに記載するために、以下は、実施形態又は先行技術を説明するために必要とされる添付の図面を簡単に紹介する。明らかに、以下の説明中の添付の図面は、本発明のいくつかの実施形態を示し、当業者は、創造的な努力なしで依然としてそれらの添付の図面から他の図面を導き出し得る。
【００５２】
【図１】本発明の実施形態に従う可能なシステム・アーキテクチャ図である。
【図２】本発明の実施形態に従うネットワーク・スライス管理方法の略通信図である。
【図３】本発明の実施形態に従う他のネットワーク・スライス管理方法の略フローチャートである。
【図４】本発明の実施形態に従う更なる他のネットワーク・スライス管理方法の略通信図である。
【図５】本発明の実施形態に従う第１管理ユニットの略構造図である。
【図６】本発明の実施形態に従う他の第１管理ユニットの略構造図である。
【図７】本発明の実施形態に従う第２管理ユニットの略構造図である。
【図８】本発明の実施形態に従う他の第２管理ユニットの略構造図である。
【図９】本発明の実施形態に従う第３管理ユニットの略構造図である。
【図１０】本発明の実施形態に従う他の第３管理ユニットの略構造図である。
【発明を実施するための形態】
【００５３】
本発明の実施形態の目的、技術的解決法、及び利点をより明らかにするために、以下は、本発明の実施形態における添付の図面を参照して、本発明の実施形態の技術的解決法について記載する。
【００５４】
本発明の実施形態で記載されるネットワーク・アーキテクチャ及びサービス・シナリオは、本発明の実施形態における技術的解決法をより明りょうに記載することを目的としているが、本発明の実施形態で提供される技術的解決法に対する如何なる制限も構成しない。当業者は、ネットワーク・アーキテクチャの進化及び新しいサービス・シナリオの出現により、本発明の実施形態で提供される技術的解決法が同様の技術的課題にも適用可能であると知り得る。
【００５５】
本明細書中の語「及び／又は」は、関連する物について記載する関連性関係のみを表現し、３つの関係が存在する可能性があることを表すことが理解されるべきである。例えば、Ａ及び／又はＢは、次の３つの場合：Ａのみが存在する、Ａ及びＢの両方が存在する、及びＢしか存在しない、を表し得る。その上、本明細書中の文字“／”は、一般に、関連する物の間の“論理和”関係を示す。
【００５６】
以下は、最初に、図１を参照して、本発明の実施形態に従う可能なネットワーク・アーキテクチャについて記載する。
【００５７】
図１は、本発明の実施形態に従うネットワーク・スライス管理方法のシステム・アーキテクチャ図である。図１に示されるように、方法に対応するシステムは、オペレーションズ・サポート・システム及び特定の通信ネットワークに関係があり、次を含む：
（１）オペレーションズ・サポート・システム（Operations  Support  System，略してＯＳＳ）
（２）エンド・ツー・エンド・オーケストレータ（E2E  Orchestrator，略してＥ２Ｅ−Ｏ）ユニット：Ｅ２Ｅ−Ｏユニットは、代替的に、エンド・ツー・エンド・マネージャ・ユニット又はエンド・ツー・エンド・オーケストレータ及びマネージャ・ユニットと呼ばれてよく、次の機能の一部又は全てを有してよい：
エンド・ツー・エンド・スライス管理（例えば、ネットワーク・スライス・ライフサイクル管理、ネットワーク・スライス・テンプレート管理、ネットワーク・スライス障害管理、ネットワーク・スライス性能管理、及びネットワーク・スライス構成管理）；エンド・ツー・エンド・サービス管理（例えば、サービス・ライフサイクル管理、サービス・テンプレート管理、サービス障害管理、サービス性能管理、及びサービス構成管理）；ネットワーク・スライス、サブネット・スライス、及びネットワーク機能のエンド・ツー・エンド・マッピング；異なるサブドメイン（例えば、アクセス・ネットワーク・ドメイン、コア・ネットワーク・ドメイン、及び送信ドメイン）によって提供されるネットワーク・リソースの協働；並びに、異なるサブドメインによって提供されるサブネット・スライス又はネットワーク機能が対象のサービスの要件（例えば、ＳＬＡ要件、キー・パフォーマンス・インジケータ（Key  Performance  Indicator，略してＫＰＩ）要件、又はクオリティ・オブ・サービス（Quality  of  Service，略してＱｏＳ）要件）を満足することができるような、異なるサブドメインによって提供されるサブネット・スライス及びネットワーク機能の統合されたオーケストレーション。記載の簡単のために、以下の記載中のＥ２Ｅ−Ｏユニットは、代替的に、Ｅ２Ｅ−Ｏによって表され得る。
【００５８】
Ｅ２Ｅ−Ｏは、エンド・ツー・エンド・サービス・オーケストレータ（E2E  Service  Orchestrator，略してＥ２Ｅ−ＳＯ）ユニット及びエンド・ツー・エンド・ネットワーク・オーケストレータ（E2E  Network  Orchestrator，略してＥ２Ｅ−ＮＯ）ユニットを含んでよく、あるいは、Ｅ２Ｅ−ＳＯユニット又はＥ２Ｅ−ＮＯユニットのいずれか一方しか含まなくてもよい。記載の簡単のために、以下の記載では、Ｅ２Ｅ−ＳＯユニットは、代替的に、Ｅ２Ｅ−ＳＯによって表され得、Ｅ２Ｅ−ＮＯユニットは、代替的に、Ｅ２Ｅ−ＮＯによって表され得る。
【００５９】
Ｅ２Ｅ−Ｏの機能は、代替的に、クロスドメイン・オーケストレータ（Cross-Domain  Orchestrator，略してＣＤ−Ｏ）ユニット、サービス・オーケストレータ（Service  Orchestrator，略してＳＯ）ユニット、ネットワーク・オーケストレータ（Network  Orchestrator，略してＮＯ）ユニット、又はネットワーク・マネージャ（Network  Manager，略してＮＭ）ユニットのようなエンティティによって達成されてよいことが留意されるべきである。本発明の実施形態では、以下の記載は全て、Ｅ２Ｅ−Ｏを例として使用することによって行われる。しかし、これは、本発明の実施形態に対する如何なる制限としても解釈されるべきではないと理解されるべきである。
【００６０】
（３）コア・ネットワーク・ドメイン・オーケストレータ（Core  Network  Domain  Orchestrator，略してＣＮ−Ｄｏｍａｉｎ−Ｏ）ユニット：ＣＮ−Ｄｏｍａｉｎ−Ｏユニットは、代替的に、コア・ネットワーク・ドメイン・マネージャ及びオーケストレータ・ユニットと呼ばれてよく、次の機能の一部又は全てを有してよい：
コア・ネットワーク・ドメイン内のネットワーク・スライスの管理（ネットワーク・スライス・ライフサイクル管理（生成、更新、及び削除）、ネットワーク・スライス障害管理、ネットワーク・スライス性能管理、ネットワーク・スライス構成管理、などを含む。）；コア・ネットワーク・ドメイン内のサービスの管理（サービス・ライフサイクル管理、サービス障害管理、サービス性能管理、サービス構成管理、などを含む。）；並びに、統合されたオーケストレーションのための、コア・ネットワーク・ドメイン内のネットワーク・リソースの協働。記載の簡単のために、以下の記載中のＣＮ−Ｄｏｍａｉｎ−Ｏユニットは、代替的に、ＣＮ−Ｄｏｍａｉｎ−Ｏによって表され得る。
【００６１】
ＣＮ−Ｄｏｍａｉｎ−Ｏは、コア・ネットワーク・ドメイン・サービス・オーケストレータ（Core  Network  Domain  Service  Orchestrator，略してＣＮ−Ｄｏｍａｉｎ−ＳＯ）ユニット及びコア・ネットワーク・ドメイン・ネットワーク・オーケストレータ（Core  Network  Domain  Network  Orchestrator，略してＣＮ−Ｄｏｍａｉｎ−ＮＯ）ユニットを含んでよく、あるいは、ＣＮ−Ｄｏｍａｉｎ−ＳＯユニット又はＣＮ−Ｄｏｍａｉｎ−ＮＯユニットのいずれか一方しか含まなくてもよい。記載の簡単のために、以下の記載では、ＣＮ−Ｄｏｍａｉｎ−ＳＯユニットは、代替的に、ＣＮ−Ｄｏｍａｉｎ−ＳＯによって表され得、ＣＮ−Ｄｏｍａｉｎ−ＮＯユニットは、代替的に、ＣＮ−Ｄｏｍａｉｎ−ＮＯによって表され得る。
【００６２】
ＣＮ−Ｄｏｍａｉｎ−Ｏの機能は、ＳＯユニット、ＮＯユニット、ＮＭ、ネットワーク・コントローラ・ユニット、又はネットワーク機能仮想化及びオーケストレータ・ユニットのようなエンティティによって達成されてよいことが留意されるべきである。本発明の実施形態では、以下の記載は全て、ＣＮ−Ｄｏｍａｉｎ−Ｏを例として使用することによって行われる。しかし、これは、本発明の実施形態に対する如何なる制限としても解釈されるべきではないと理解されるべきである。
【００６３】
（４）ラジオ・アクセス・ネットワーク・ドメイン・オーケストレータ（Radio  Access  Network  Domain  Orchestrator，略してＲＡＮ−Ｄｏｍａｉｎ−Ｏ）ユニット：ＲＡＮ−Ｄｏｍａｉｎ−Ｏユニットは、代替的に、ラジオ・アクセス・ネットワーク・ドメイン・オーケストレータ及びマネージャ・ユニットと呼ばれてよく、次の機能の一部又は全てを有してよい：
アクセス・ネットワーク・ドメイン内のネットワーク・スライスの管理（ネットワーク・スライス・ライフサイクル管理（生成、更新、及び削除）、ネットワーク・スライス障害管理、ネットワーク・スライス性能管理、ネットワーク・スライス構成管理、などを含む。）；アクセス・ネットワーク・ドメイン内のサービスの管理（サービス・ライフサイクル管理、サービス障害管理、サービス性能管理、サービス構成管理、などを含む。）；並びに、統合されたオーケストレーションのための、アクセス・ネットワーク・ドメイン内のネットワーク・リソースの協働。記載の簡単のために、以下の記載中のＲＡＮ−Ｄｏｍａｉｎ−Ｏユニットは、代替的に、ＲＡＮ−Ｄｏｍａｉｎ−Ｏによって表され得る。
【００６４】
ＲＡＮ−Ｄｏｍａｉｎ−Ｏは、ラジオ・アクセス・ネットワーク・ドメイン・サービス・オーケストレータ（Radio  Access  Network  Domain  Service  Orchestrator，略してＲＡＮ−Ｄｏｍａｉｎ−ＳＯ）ユニット及びラジオ・アクセス・ネットワーク・ドメイン・ネットワーク・オーケストレータ（Radio  Access  Network  Domain  Network  Orchestrator，略してＲＡＮ−Ｄｏｍａｉｎ−ＮＯ）ユニットを含んでよく、あるいは、ＲＡＮ−Ｄｏｍａｉｎ−ＳＯユニット又はＲＡＮ−Ｄｏｍａｉｎ−ＮＯユニットのいずれか一方しか含まなくてもよい。記載の簡単のために、以下の記載では、ＲＡＮ−Ｄｏｍａｉｎ−ＳＯユニットは、代替的に、ＲＡＮ−Ｄｏｍａｉｎ−ＳＯによって表され得、ＲＡＮ−Ｄｏｍａｉｎ−ＮＯユニットは、代替的に、ＲＡＮ−Ｄｏｍａｉｎ−ＮＯによって表され得る。
【００６５】
ＲＡＮ−Ｄｏｍａｉｎ−Ｏの機能は、ＳＯユニット、ＮＯユニット、ＮＭ、ネットワーク・コントローラ・ユニット、又はネットワーク機能仮想化及びオーケストレータ・ユニットのようなエンティティによって達成されてよいことが留意されるべきである。本発明の実施形態では、以下の記載は全て、ＲＡＮ−Ｄｏｍａｉｎ−Ｏを例として使用することによって行われる。しかし、これは、本発明の実施形態に対する如何なる制限としても解釈されるべきではないと理解されるべきである。
【００６６】
（５）コア・ネットワーク・ネットワーク機能コントローラ（CN  Network  Function  Controller，略してＣＮ−ＮＦ−ＣＴＲＬ）ユニット：それは、コア・ネットワーク・ドメイン内のネットワーク機能マネージャ（Network  Function  Manager，略してＮＦ−Ｍ）ユニット及び／又は仮想化ネットワーク機能マネージャ（Virtualized  Network  Function  Manager，略してＶＮＦＭ）ユニットを含み、コア・ネットワーク・ドメイン内のネットワーク機能についてライフサイクル管理、構成管理、障害管理、性能管理、などを実行するよう構成される。
【００６７】
（６）ラジオ・アクセス・ネットワーク・ネットワーク機能コントローラ（RAN  Network  Function  Controller，略してＲＡＮ−ＮＦ−ＣＴＲＬ）ユニット：それは、アクセス・ネットワーク・ドメイン内のＮＦ−Ｍユニット及び／又はＶＮＦＭユニットを含み、アクセス・ネットワーク・ドメイン内のネットワーク機能についてライフサイクル管理、構成管理、障害管理、性能管理、などを実行するよう構成される。
【００６８】
ＯＳＳとＥ２Ｅ−Ｏ、ＣＮ−Ｄｏｍａｉｎ−Ｏ、及びＲＡＮ−Ｄｏｍａｉｎ−Ｏの夫々との間のデプロイメント関係は、次の場合のうちのいずれか１つであってよい：Ｅ２Ｅ−ＯはＯＳＳに位置するが、ＣＮ−Ｄｏｍａｉｎ−Ｏ及びＲＡＮ−Ｄｏｍａｉｎ−ＯはＯＳＳに位置しない；あるいは、Ｅ２Ｅ−Ｏ、ＣＮ−Ｄｏｍａｉｎ−Ｏ、及びＲＡＮ−Ｄｏｍａｉｎ−ＯのいずれもＯＳＳに位置しない；あるいは、Ｅ２Ｅ−Ｏ、ＣＮ−Ｄｏｍａｉｎ−Ｏ、及びＲＡＮ−Ｄｏｍａｉｎ−Ｏの全てがＯＳＳに位置する。
【００６９】
更に、ＣＮ−ＮＦ−ＣＴＲＬ及びＲＡＮ−ＮＦ−ＣＴＲＬはＯＳＳに位置してよく、あるいは、ＯＳＳに位置しなくてもよい。
【００７０】
本発明の実施形態の以下の記載は全て、前述のシステム・アーキテクチャを例として使用することによって行われる。しかし、本発明の実施形態における方法は、他のシステムにも適用されてよいことが留意されるべきである。
【００７１】
既存の解決法では、ネットワーク・スライス・デプロイメントの間、サービス要求を受けた後に、ネットワーク管理サービス設計者は、手動でサービス要求をブレイクダウンし、サービス要求をネットワーク・リソース要求に変え、ネットワーク・リソース要求をコア・ネットワークのネットワーク設計者及びラジオ・アクセス・ネットワークのネットワーク設計者へ別々に送る必要がある。コア・ネットワークのネットワーク設計者及びラジオ・アクセス・ネットワークのネットワーク設計者は、別々にネットワーク・デバイスをデプロイし、次いで、対応するネットワーク・デバイスは、ネットワーク要素管理ユニットを使用することによって管理される。ネットワーク・スライスを手動でデプロイするこの方法は非効率的である。従って、本発明の実施形態は、自動のネットワーク・スライス・デプロイメントを実施し、それによってネットワーク・スライス・デプロイメント効率を改善するために、以下のネットワーク・スライス管理方法と、該方法に基づく管理ユニット及びシステムとを提供する。
【００７２】
図２乃至図４を参照して、以下は、本発明の実施形態で提供される解決法について記載する。
【００７３】
図２は、本発明の実施形態に従うネットワーク・スライス管理方法の略通信図である。図２に示されるように、方法はＳ１０１及びＳ１０２を含む。
【００７４】
Ｓ１０１．第１管理ユニットは第１管理要求を受け、ここで、第１管理要求は、ネットワーク・スライスの要件情報又はインジケーション情報を運び、インジケーション情報は、ネットワーク・スライスの要件情報を得るために使用される。
【００７５】
第１管理要求は、第１管理ユニットに、ネットワーク・スライスの要件情報に基づきネットワーク・スライスを管理するよう指示するために使用される。
【００７６】
第１管理ユニットは、Ｅ２Ｅ−Ｏであってよい。
【００７７】
具体的に、ネットワーク・スライス管理が必要とされるとき、ユーザは、システムによって提供される動作可能なインターフェイスなどを使用することによって第１管理要求を第１管理ユニットへ送ってよく、あるいは、ＢＳＳが第１管理要求を第１管理ユニットへ送る。ここで、第１管理要求は、ネットワーク・スライスの要件情報又はインジケーション情報を運んでよく、第１管理要求は、第１管理ユニットに、ネットワーク・スライスの要件情報に基づきネットワーク・スライスを管理するよう指示するために使用される。ネットワーク・スライスの管理は、例えば、ネットワーク・スライスのライフサイクル管理、ネットワーク・スライスのテンプレート管理、ネットワーク・スライスの障害管理、ネットワーク・スライスの性能管理、又はネットワーク・スライスの構成管理であってよい。ネットワーク・スライスのライフサイクル管理は、ネットワーク・スライスのインスタンス化、ネットワーク・スライスの生成、ネットワーク・スライスの変更、ネットワーク・スライスの更新、などを含んでよい。
【００７８】
例において、ネットワーク・スライスの要件情報は、次のもの：ネットワーク・スライスのタイプ、ネットワーク・スライスのＳＬＡ情報、ネットワーク・スライスのデプロイメント情報、ネットワーク・スライスのＫＰＩ、ネットワーク・スライスのネットワーク特性、ネットワーク・スライスのユーザ情報、又はネットワーク・スライスによって提供されるサービスに関する情報、の中の少なくとも１つを含んでよい。
【００７９】
ＳＬＡ情報は、具体的に、次のもの：レイテンシ、成功率、バンド幅、カバレッジ、トラフィック・モデル、など、の中の少なくとも１つを含んでよい。ＫＰＩは、具体的に、最大レイテンシ及び／又は最大バンド幅、などを含んでよい。
【００８０】
第１管理要求がネットワーク・スライスの要件情報を運ぶとき、第１管理ユニットは、要件情報に基づき、その後の動作を直接実行してよい。
【００８１】
第１管理要求がネットワーク・スライスの要件情報を直接には運ばず、インジケーション情報を運ぶとき、第１管理ユニットは、次のプロセスを使用することによって、ネットワーク・スライスの対応する要件情報を得てよい：
最初に、第１管理ユニットは、ネットワーク・スライスのインジケーション情報に基づき、ネットワーク・スライス記述子を得；
次いで、第１管理ユニットは、ネットワーク・スライス記述子に基づき、ネットワーク・スライスの要件情報を得る。
【００８２】
任意に、ネットワーク・スライスのインジケーション情報は、ネットワーク・スライス記述子の名称、ネットワーク・スライス記述子のタイプ、又はネットワーク・スライス記述子の特徴のような、ネットワーク・スライス記述子を識別するために使用される識別子であってよく、ネットワーク・スライス記述子は、ネットワーク・スライス・テンプレート、ネットワーク・スライス・ブループリント、などであってよい。インジケーション情報を受けた後に、第１管理ユニットは、インジケーション情報に基づき、すなわち、ネットワーク・スライス記述子の名称、タイプ、又は特徴のような情報に基づき、対応するネットワーク・スライス記述子を得てよい。ネットワーク・スライス記述子は、ネットワーク・スライスの要件情報を含む。従って、第１管理ユニットは、ネットワーク・スライス記述子に基づき、ネットワーク・スライスの要件情報を得ることができる。
【００８３】
Ｓ１０２．第１管理ユニットは、ネットワーク・スライスを形成するサブネットの要件情報を決定し、ここで、サブネットの要件情報は、サブネットを管理するために使用され、ネットワーク・スライスは、少なくとも１つのサブネットを含む。
【００８４】
ネットワーク・スライスを形成するサブネットの要件情報は、ネットワーク・スライスを形成するサブネットを管理するために使用される。ネットワーク・スライスは、十中八九、少なくとも１つのサブネットを含み得る。
【００８５】
サブネットは、具体的に、サブネット・スライスであってよいことが留意されるべきである。換言すれば、１つのネットワーク・スライスはサブネットを含んでよく、あるいは、サブネット・スライスを含んでよい。ネットワーク・スライスがサブネット・スライスを含むとき、サブネット・スライスに対応する要件情報の処理は、サブネットの要件情報が処理されるプロセスに基づき実行されてよい。
【００８６】
サブネットを管理することは、具体的に、サブネットを作ること、選択すること、構成すること、又はアクティブにすることであってよい。
【００８７】
例において、サブネットの要件情報は、次のもの：サブネットのタイプ、サブネットのＳＬＡ情報、サブネットのデプロイメント情報、サブネットのＫＰＩ、又はサブネットの機能特性、の中の少なくとも１つを含んでよい。
【００８８】
サブネットのＳＬＡ情報は、具体的に、次のもの：レイテンシ、成功率、バンド幅、カバレッジ、トラフィック・モデル、など、の中の少なくとも１つを含んでよい。サブネットのＫＰＩは、具体的に：最大レイテンシ及び／又は最大バンド幅、などを含んでよい。
【００８９】
例において、ネットワーク・スライスを形成するサブネットの要件情報を決定するとき、第１管理ユニットは、前もってセットされたルールに従って、サブネットの要件情報を決定してよい。
【００９０】
例えば、第１管理ユニットは、前もってセットされた分割アルゴリズムに基づき、サブネットの要件情報を決定してよい。例えば、ＲＡＮドメインにおけるレイテンシに対するＣＮドメインにおけるレイテンシの比が分割アルゴリズムに従って１：２であり、ネットワーク・スライスの前述の要件情報で運ばれるＳＬＡ要求レイテンシが３ｍｓであるとき、第１管理ユニットは、分割アルゴリズムに基づいて、ＣＮドメインにおけるサブネットのＳＬＡレイテンシが１ｍｓであり、ＲＡＮドメインにおけるサブネットのＳＬＡレイテンシが２ｍｓであると決定してよい。
【００９１】
第１管理ユニットによって決定されるサブネットの要件情報は、複数のサブネットの要件情報を含んでよいことが留意されるべきである。例えば、第１管理ユニットがネットワーク・スライスの要件情報を受けた後に第１管理ユニットによって決定されるサブネットの要件情報は：コア・ネットワーク・ドメインの要件情報及びアクセス・ネットワーク・ドメインの要件情報である。次いで、第１管理ユニットは、２つのサブネットの要件情報を、対応する第２管理ユニットへ別々に送ってよい。本発明のこの実施形態における続くステップＳ１０４は、第１管理ユニットがサブネットの要件情報を第２管理ユニットへ送るところの例を使用することによって、記載される。第２管理ユニットに関する残りの動作については、ステップ１０４を参照されたい。詳細は、本発明のこの実施形態において再びここでは記載されない。
【００９２】
任意に、図２に示される方法は、続くステップＳ１０３乃至Ｓ１０５を更に含んでよい。
【００９３】
Ｓ１０３．第１管理ユニットは、ネットワーク・スライス識別子をネットワーク・スライスに割り当てる。
【００９４】
ネットワーク・スライス識別子は、ネットワーク・スライスを一意的に識別するために使用される。
【００９５】
ネットワーク・スライス識別子は、ネットワーク・スライス・インスタンスの識別子であってよく、その識別子は、ネットワーク・スライス・インスタンスを一意的に識別するために使用されることが留意されるべきである。
【００９６】
任意に、第１管理ユニットによってネットワーク・スライスに割り当てられるネットワーク・スライス識別子は、次の情報：地上波公共移動通信ネットワーク（Public  Land  Mobile  Network，ＰＬＭＮ）識別子、テナント識別子、スライス・タイプ、サービス・タイプ、スライス識別子、など、の中の少なくとも１つを含んでよい。
【００９７】
ステップＳ１０３及びステップＳ１０２については実行順序が存在しないことが留意されるべきである。ステップＳ１０２はステップＳ１０３の前に実行されてよく；あるいは、ステップＳ１０３はステップＳ１０２の前に実行されてよく；あるいは、ステップＳ１０２及びステップＳ１０３は同時に実行されてよい。
【００９８】
Ｓ１０４．第１管理ユニットは、第２管理要求を第２管理ユニットへ送り、ここで、第２管理要求はサブネットの要件情報を運ぶ。
【００９９】
第２管理要求は、第２管理ユニットに、サブネットの要件情報に基づきサブネットを管理するよう指示するために使用される。
【０１００】
第２管理ユニットは、ＣＮ−Ｄｏｍａｉｎ−Ｏ、ＲＡＮ−Ｄｏｍａｉｎ−Ｏ、ＣＮ−ＮＦ−ＣＴＲＬ、ＲＡＮ−ＮＦ−ＣＴＲＬ、又は要素管理システム（Element  Management  System，略してＥＭＳ）であってよい。第２管理ユニットがＥＭＳであるとき、ＥＭＳは、ＣＮ−Ｄｏｍａｉｎ−Ｏ、ＲＡＮ−Ｄｏｍａｉｎ−Ｏ、ＣＮ−ＮＦ−ＣＴＲＬ、又はＲＡＮ−ＮＦ−ＣＴＲＬの機能を有し得る。
【０１０１】
更に、サブネットの要件情報に加えて、第２管理要求はネットワーク・スライス識別子を運んでよい。
【０１０２】
第２管理要求がネットワーク・スライス識別子を運ぶとき、第２管理ユニットは、第２管理要求を受けた後に、次の動作を更に実行してよい：
第２管理ユニットは、ネットワーク・スライス識別子がサブネット識別子であると決定し；あるいは、
第２管理ユニットは、サブネット識別子をサブネットに割り当て、サブネット識別子をネットワーク・スライス識別子と関連付け；ここで、
サブネット識別子は、サブネットの識別子である。
【０１０３】
Ｓ１０５．第２管理ユニットは、サブネットの要件情報を満足するネットワーク・リソースの要件情報を決定する。
【０１０４】
第１管理ユニットから第２管理要求を受けた後に、第２管理ユニットは、サブネットの要件情報を満足するネットワーク・リソースの要件情報を決定する。ネットワーク・リソースの要件情報は、ネットワーク・リソースの要件情報を満足するネットワーク・リソース・インスタンスを選択し、作り、構成し、又はアクティブにするために使用される。ネットワーク・リソース・インスタンスは、サブネットを提供するために使用される。
【０１０５】
例において、ネットワーク・リソースの要件情報は、次のもの：ネットワーク・リソースのタイプ、ネットワーク・リソースの記述子情報、ネットワーク・リソースのインスタンス情報、ネットワーク・リソースのＫＰＩ、又はネットワーク・リソースの機能特性、の中の少なくとも１つを含んでよい。
【０１０６】
例において、ネットワーク・リソース・インスタンスは、次のもの：ネットワーク機能、ネットワーク要素、ネットワーク・サービス、又は伝送リソース、の中の少なくとも１つを含んでよい。
【０１０７】
任意に、第２管理ユニットは、次の２つ方法のうちのいずれか一方において、サブネットの要件情報を満足するネットワーク・リソースの要件情報を決定してよい：
方法１：第２管理ユニットは、サブネットの要件情報を含むサブネット記述子を決定し、サブネット記述子に基づき、サブネットの要件情報を満足するネットワーク・リソースの要件情報を決定する。  
方法２：第２管理ユニットは、前もってセットされたルールに従って、サブネットの要件情報を満足するネットワーク・リソースの要件情報を決定する。
【０１０８】
任意に、ステップＳ１０５が実行された後、図２に示される方法は、続くステップＳ１０６及びＳ１０７を更に含んでよい。
【０１０９】
Ｓ１０６．第２管理ユニットは、第３管理要求を第３管理ユニットへ送り、ここで、第３管理要求は、ネットワーク・リソースの要件情報を運ぶ。
【０１１０】
第３管理要求は、ネットワーク・リソースの要件情報を満足するネットワーク・リソース・インスタンスを要求するために使用される。
【０１１１】
第３管理ユニットは、ＣＮ−ＮＦ−ＣＴＲＬ、ＣＮ−ＮＦ−Ｍａｎａｇｅｒ、ＲＡＮ−ＮＦ−ＣＴＲＬ、又はＲＡＮ  ＮＦ  Ｍａｎａｇｅｒであってよい。
【０１１２】
Ｓ１０７．第３管理ユニットは、ネットワーク・リソース・インスタンスを選択し、デプロイし、構成し、又はアクティブにする。
【０１１３】
第３管理要求で運ばれるネットワーク・リソースの要件情報がネットワーク・リソースのインスタンス情報を含まないとき、第３管理ユニットは、具体的に、次のプロセスを使用することによって、ネットワーク・リソース・インスタンスを選択し、デプロイし、構成し、又はアクティブにしてよい：
最初に、第３管理ユニットは、ネットワーク・リソース・インスタンスの要件情報を決定し；
次いで、第３管理ユニットは、ネットワーク・リソース・インスタンスの要件情報を満足するネットワーク・リソース・インスタンスを選択し、デプロイし、構成し、又はアクティブにする。
【０１１４】
任意に、ステップＳ１０４が実行された後に、図２に示される方法は、続くステップＳ１０８ａ、Ｓ１０８ｂ、Ｓ１０９、及びＳ１１０を更に含んでよく、ここで、Ｓ１０８ａ又はＳ１０８ｂのいずれか一方が実行され得る。
【０１１５】
Ｓ１０８ａ．第２管理ユニットは、サブネットの識別子をサブネットに割り当てる。
【０１１６】
Ｓ１０８ｂ．第２管理ユニットは、既存のネットワークに既に存在するサブネット・インスタンスを使用する。
【０１１７】
Ｓ１０９．第２管理ユニットは、サブネットの識別子又はサブネット・インスタンスの識別子を第１管理ユニットへ送る。
【０１１８】
Ｓ１１０．第１管理ユニットは、サブネットの識別子をネットワーク・スライス識別子と関連付け、あるいは、第１管理ユニットは、サブネット・インスタンスの識別子をネットワーク・スライス識別子と関連付ける。
【０１１９】
Ｓ１０８ｂが実行される場合には、Ｓ１０５乃至Ｓ１０７は実行される必要がなく；あるいは、Ｓ１０８ａが実行される場合には、Ｓ１０５乃至Ｓ１０７は実行され得、ステップＳ１０８ａ、Ｓ１０９、及びＳ１１０の実行とステップＳ１０５乃至Ｓ１０７の実行との間には時間順序関連性がないことが留意されるべきである。換言すれば、ステップＳ１０８ａ、Ｓ１０９、及びＳ１１０は、ステップＳ１０５乃至Ｓ１０７の前、後、又は同時に実行されてよく、これは本発明のこの実施形態において制限されない。
【０１２０】
この実施形態では、ネットワーク・スライスの要件情報又はインジケーション情報を運ぶ第１管理要求を受けた後に、第１管理ユニットは、ネットワーク・スライスの要件情報に基づき、対応するサブネット要件を決定することができ、ここで、サブネット要件は、複数のサブネットの要件であってよい。第１管理ユニットは、サブネット要件を、対応するサブネットの管理ユニットへ送り、対応するサブネットの管理ユニットは、ネットワーク・スライスの要件情報に基づき自動のネットワーク・スライス・デプロイメントを実施し、それによってネットワーク・スライス・デプロイメント効率を大いに改善するために、ネットワーク・スライスの要件情報を満足することができるネットワーク・リソース・インスタンスを決定する。
【０１２１】
図３は、本発明の実施形態に従う他のネットワーク・スライス管理方法の略フローチャートである。図３に示される方法において、図２における内容と同じであるか又は類似する内容については、図２の詳細な説明を参照されたい。詳細は再びここで記載されない。図３に示されるように、方法はステップＳ２０１及びステップＳ２０２を含む。任意に、方法はステップＳ２０３乃至Ｓ２０５を更に含んでよい。
【０１２２】
Ｓ２０１．第１管理ユニットは第１管理要求を受け、ここで、第１管理要求は、ネットワーク・スライスの要件情報又はインジケーション情報を運び、インジケーション情報は、ネットワーク・スライスの要件情報を得るために使用される。
【０１２３】
ステップＳ２０１は、図１におけるステップＳ１０１と同様である。ステップＳ２０１の詳細な実施プロセスについては、ステップＳ１０１の詳細な実施プロセスを参照されたい。詳細は再びここで記載されない。
【０１２４】
Ｓ２０２．第１管理ユニットは、ネットワーク・スライスを形成するサブネットの要件情報を決定し、ここで、サブネットの要件情報は、サブネットを管理するために使用され、ネットワーク・スライスは少なくとも１つのサブネットを含む。
【０１２５】
ステップＳ２０２は、図１におけるステップＳ１０２と同様である。ステップＳ２０２の詳細な実施プロセスについては、ステップＳ１０２の詳細な実施プロセスを参照されたい。詳細は再びここで記載されない。
【０１２６】
Ｓ２０３．第１管理ユニットは、ネットワーク・スライス識別子をネットワーク・スライスに割り当てる。
【０１２７】
ステップＳ２０３は、図１におけるステップＳ１０３と同様である。ステップＳ２０３の詳細な実施プロセスについては、ステップＳ１０３の詳細な実施プロセスを参照されたい。詳細は再びここで記載されない。
【０１２８】
ステップＳ２０３及びステップＳ２０２については実行順序が存在しないことが留意されるべきである。ステップＳ２０２はステップＳ２０３の前に実行されてよく；あるいは、ステップＳ２０３はステップＳ２０２の前に実行されてよく；あるいは、ステップＳ２０２及びステップＳ２０３は同時に実行されてよい。
【０１２９】
Ｓ２０４．第１管理ユニットは、サブネットの要件情報を満足するサブネット・インスタンスを既存のネットワークから選択する。
【０１３０】
Ｓ２０５．第１管理ユニットは、サブネット・インスタンスの識別子をネットワーク・スライス識別子と関連付ける。
【０１３１】
サブネット・インスタンスの識別子は、サブネット識別子の考えられる実施であってよい。
【０１３２】
サブネット・インスタンスの識別子は、目下のネットワーク・スライス管理の前に第２管理ユニットによって決定され、第１管理ユニットへ送られてよい。具体的に、第１管理ユニットによって送られたサブネットの要件情報を受けた後に、第２管理ユニットは、第３管理ユニットを使用することによって、サブネットの要件情報を満足するネットワーク・リソース・インスタンスを得、ここで、ネットワーク・リソース・インスタンスは、サブネットを提供するために使用される。第２管理ユニットは、ネットワーク・リソース・インスタンスの識別子、すなわち、サブネットの識別子を第１管理ユニットへ返す。第１管理ユニットが図２に示される方法に基づきネットワーク・スライスを管理するとき、ネットワーク・スライスの要件情報を受けた後に、第１管理ユニットは、サブネットの識別子に対応するサブネットの特徴（例えば、タイプ又は機能特性）に基づき、そのサブネットがネットワーク・スライスの要件情報を満足するかどうかを判定してよい。サブネットがネットワーク・スライスの要件情報を満足する場合には、第１管理ユニットは、そのサブネットを直接選択し、サブネットの識別子を、割り当てられているネットワーク・スライス識別子と関連付ける。この実施形態では、サブネットの要件情報を決定した後に、第１管理ユニットは、既存のネットワークの実際のステータスに基づき、サブネットの要件情報を満足するサブネットを直接選択し、そして、サブネットを決定するために要求メッセージをこれ以上第２管理ユニットへ送る必要はなく、それによってネットワーク・スライス・デプロイメント効率を更に改善する。
【０１３３】
図４は、本発明の実施形態に従う更なる他のネットワーク・スライス管理方法の略通信図である。図４に示される方法において、図２における内容と同じであるか又は類似する内容については、図２の詳細な説明を参照されたい。詳細は再びここで記載されない。図４に示されるように、方法はステップＳ３０１及びステップＳ３０２を含む。任意に、方法はステップＳ３０３乃至Ｓ３０６を更に含んでよい。
【０１３４】
Ｓ３０１．第１管理ユニットは第１管理要求を受け、ここで、第１管理要求は、ネットワーク・スライスの要件情報又はインジケーション情報を運び、インジケーション情報は、ネットワーク・スライスの要件情報を得るために使用される。
【０１３５】
ステップＳ３０１は、図１におけるステップＳ１０１と同様である。ステップＳ３０１の詳細な実施プロセスについては、ステップＳ１０１の詳細な実施プロセスを参照されたい。詳細は再びここで記載されない。
【０１３６】
Ｓ３０２．第１管理ユニットは、ネットワーク・スライスを形成するサブネットの要件情報を決定し、ここで、サブネットの要件情報は、サブネットを管理するために使用され、ネットワーク・スライスは少なくとも１つのサブネットを含む。
【０１３７】
ステップＳ３０２は、図１におけるステップＳ１０２と同様である。ステップＳ３０２の詳細な実施プロセスについては、ステップＳ１０２の詳細な実施プロセスを参照されたい。詳細は再びここで記載されない。
【０１３８】
Ｓ３０３．第１管理ユニットは、ネットワーク・スライス識別子をネットワーク・スライスに割り当てる。
【０１３９】
ステップＳ３０３は、図１におけるステップＳ１０３と同様である。ステップＳ３０３の詳細な実施プロセスについては、ステップＳ１０３の詳細な実施プロセスを参照されたい。詳細は再びここで記載されない。
【０１４０】
ステップＳ３０３及びステップＳ３０２については実行順序が存在しないことが留意されるべきである。ステップＳ３０２はステップＳ３０３の前に実行されてよく；あるいは、ステップＳ３０３はステップＳ３０２の前に実行されてよく；あるいは、ステップＳ３０２及びステップＳ３０３は同時に実行されてよい。
【０１４１】
Ｓ３０４．第１管理ユニットは、第２管理要求を第２管理ユニットへ送り、ここで、第２管理要求は、サブネットの要件情報を運ぶ。
【０１４２】
ステップＳ３０４は、図１におけるステップＳ１０４と同様である。ステップＳ３０４の詳細な実施プロセスについては、ステップＳ１０４の詳細な実施プロセスを参照されたい。詳細は再びここで記載されない。
【０１４３】
Ｓ３０５．第２管理ユニットは、サブネットの要件情報を満足するネットワーク・リソースの要件情報を決定する。
【０１４４】
ステップＳ３０５は、図１におけるステップＳ１０５と同様である。ステップＳ３０５の詳細な実施プロセスについては、ステップＳ１０５の詳細な実施プロセスを参照されたい。詳細は再びここで記載されない。
【０１４５】
Ｓ３０６．第２管理ユニットは、ネットワーク・リソースの要件情報を満足するネットワーク・リソース・インスタンスを既存のネットワークから選択する。
【０１４６】
任意に、ステップＳ３０４が実行された後に、図４に示される方法は、続くステップＳ３０７ａ、Ｓ３０７ｂ、Ｓ３０８、及びＳ３０９を更に含んでよく、ここで、Ｓ３０７ａ又はＳ３０７ｂのいずれか一方が実行され得る。
【０１４７】
Ｓ３０７ａ．第２管理ユニットは、サブネットの識別子をサブネットに割り当てる。
【０１４８】
Ｓ３０７ｂ．第２管理ユニットは、既存のネットワークに既に存在するサブネット・インスタンスを使用する。
【０１４９】
Ｓ３０８．第２管理ユニットは、サブネットの識別子又はサブネット・インスタンスの識別子を第１管理ユニットへ送る。
【０１５０】
Ｓ３０９．第１管理ユニットは、サブネットの識別子をネットワーク・スライス識別子と関連付け、あるいは、第１管理ユニットは、サブネット・インスタンスの識別子をネットワーク・スライス識別子と関連付ける。
【０１５１】
Ｓ３０７ｂが実行される場合には、Ｓ３０５及びＳ３０６は実行される必要がなく；あるいは、Ｓ３０７ａが実行される場合には、Ｓ３０５及びＳ３０６は実行され得、ステップＳ３０７ａ、Ｓ３０８、及びＳ３０９の実行とステップＳ３０５及びＳ３の実行との間には時間順序関連性がないことが留意されるべきである。換言すれば、ステップＳ３０７ａ、Ｓ３０８、及びＳ３０９は、ステップＳ３０５及びＳ３０６の前、後、又は同時に実行されてよく、これは本発明のこの実施形態において制限されない。
【０１５２】
この実施形態では、ネットワーク・リソースの要件情報を決定した後に、第２管理ユニットは、既存のネットワークの実際のステータスに基づき、ネットワーク・リソースの要件情報を満足するネットワーク・リソース・インスタンスを直接選択し、そして、ネットワーク・リソース・インスタンスを決定するために要求メッセージをこれ以上第３管理ユニットへ送る必要はなく、それによってネットワーク・スライス・デプロイメント効率を更に改善する。
【０１５３】
上記は、主として、様々なネットワーク要素間のインタラクションの視点から、本発明の実施形態における解決法について記載する。前述の機能を実施するために、第１管理ユニット、第２管理ユニット、又は第３管理ユニットのような各ネットワーク要素は、夫々の機能を実行するための対応するハードウェア構造及び／又はソフトウェア・モジュールを含むと理解され得る。当業者は、本明細書中で開示される実施形態で記載されている例と組み合わせて、本発明におけるユニット及びアルゴリズム・ステップがハードウェア又はハードウェアとコンピュータ・ソフトウェアとの組み合わせによって実施されてよいと容易に気付くはずである。機能がハードウェア又はコンピュータ・ソフトウェアによって駆動されるハードウェアによって実行されるかどうかは、技術的解決法の設計制約及び特定の用途に依存する。当業者は、記載されている機能を夫々の特定の用途のために実施するよう種々の方法を使用してよいが、実施が本発明の適用範囲を越えることは考えられるべきではない。
【０１５４】
本発明の実施形態において、機能ユニットの分割は、前述の方法の例に従って、第１管理ユニット、第２管理ユニット、第３管理ユニット、などにおいて実行されてよい。例えば、機能ユニットは機能に基づき分割されてよく、あるいは、２つ以上の機能は１つの処理ユニットに組み込まれてよい。集積ユニットはハードウェアの形で実施されてよく、あるいは、ソフトウェア機能ユニットの形で実施されてよい。本発明の実施形態におけるユニット分割は一例であり、単に論理的な機能分割であり、実際の実施では他の分割方法が存在し得ることが留意されるべきである。
【０１５５】
図５は、集積ユニットが使用されるときに、前述の実施形態における第１管理ユニットの考えられる構造の概略図である。第１管理ユニット１０００は、処理ユニット１００２及び通信ユニット１００３を含む。処理ユニット１００２は、第１管理ユニットの動作を制御及び管理するよう構成される。例えば、処理ユニット１００２は、第１管理ユニットが図２におけるＳ１１０及びＳ１０１乃至Ｓ１０４のプロセス、図３におけるＳ２０１乃至Ｓ２０５のプロセス、Ｓ３０９及び図４におけるＳ３０１乃至Ｓ３０４のプロセス、及び／又は本明細書中で記載される技術の他のプロセスを実行するためのサポートを提供するよう構成される。通信ユニット１００３は、第１管理ユニットと他のネットワーク・エンティティとの間の通信、例えば、第１管理ユニットと第２管理ユニットとの間の通信をサポートするよう構成される。第１管理ユニットは、第１管理ユニットのプログラム・コード及びデータを記憶するよう構成された記憶ユニット１００１を更に含んでよい。
【０１５６】
処理ユニット１００２はプロセッサ又はコントローラであってよく、例えば、中央演算処理装置（Central  Processing  Unit，ＣＰＵ）、汎用プロセッサ、デジタル・シグナル・プロセッサ（Digital  Signal  Processor，ＤＳＰ）、特定用途向け集積回路（Application-Specific  Integrated  Circuit，ＡＳＩＣ）、フィールド・プログラマブル・ゲート・アレイ（Field-Programmable  Gate  Array，ＦＰＧＡ）若しくは他のプログラム可能な論理デバイス、トランジスタ論理デバイス、ハードウェア部品、又はそれらのあらゆる組み合わせであってよい。コントローラ／プロセッサは、本発明で開示される内容を参照して記載される様々な例となる論理ブロック、モジュール、及び回路を実装又は実行してよい。代替的に、プロセッサは、演算機能を実装するプロセッサの組み合わせ、例えば、１つ以上のマイクロプロセッサの組み合わせ、又はＤＳＰとマイクロプロセッサとの組み合わせであってよい。通信ユニット１００３は、通信インターフェイス、トランシーバ、トランシーバ回路、などであってよい。通信インターフェイスは、一般用語であり、１つ以上のインターフェイス、例えば、第１管理ユニットと第２管理ユニットとの間のインターフェイスを含んでよい。記憶ユニット１００１はメモリであってよい。
【０１５７】
処理ユニット１００２がプロセッサであり、通信ユニット１００３が通信インターフェイスであり、記憶ユニット１００１がメモリであるとき、本発明のこの実施形態における第１管理ユニットは、図６に示される第１管理ユニットであってよい。
【０１５８】
図６に示されるように、第１管理ユニット１０１０は、プロセッサ１０１２、通信インターフェイス１０１３、及びメモリ１０１１を含む。任意に、第１管理ユニット１０１０はバス１０１４を更に含んでよい。通信インターフェイス１０１３、プロセッサ１０１２、及びメモリ１０１１は、バス１０１４を使用することによって互いに接続され得る。バス１０１４は、ペリフェラル・コンポーネント・インターコネクト（Peripheral  Component  Interconnect，略してＰＣＩ）バス、又は拡張業界標準アーキテクチャ（Extended  Industry  Standard  Architecture，略してＥＩＳＡ）バス、などであってよい。バス１０１４は、アドレス・バス、データ・バス、制御バス、などに分類され得る。表現の簡単のために、ただ１つの太線しか、図６でバスを表すために使用されないが、これは、１つのバス又は一種類のバスしか存在しないことを意味するものではない。
【０１５９】
図５又は図６に示される第１管理ユニットは、Ｅ２Ｅ−Ｏ、ＣＤ−Ｏ、ＳＯ、ＮＯ、ＮＭ、などであってよい。
【０１６０】
図７は、集積ユニットが使用されるときに、前述の実施形態における第２管理ユニットの考えられる構造の概略図である。第２管理ユニット２０００は、処理ユニット２００２及び通信ユニット２００３を含む。処理ユニット２００２は、第２管理ユニットの動作を制御及び管理するよう構成される。例えば、処理ユニット２００２は、第２管理ユニットが図２におけるＳ１０５、Ｓ１０６、Ｓ１０８ａ、Ｓ１０８ｂ、及びＳ１０９のプロセス、図４におけるＳ３０５及びＳ３０６乃至Ｓ３０８のプロセス、及び／又は本明細書中で記載される技術の他のプロセスを実行するためのサポートを提供するよう構成される。通信ユニット２００３は、第２管理ユニットと他のネットワーク・エンティティとの間の通信、例えば、第２管理ユニットと第１管理ユニットとの間の通信又は第２管理ユニットと第３管理ユニットとの間の通信をサポートするよう構成される。第２管理ユニットは、第２管理ユニットのプログラム・コード及びデータを記憶するよう構成された記憶ユニット２００１を更に含んでよい。
【０１６１】
処理ユニット２００２はプロセッサ又はコントローラであってよく、例えば、ＣＰＵ、汎用プロセッサ、ＤＳＰ、ＡＳＩＣ、ＦＰＧＡ若しくは他のプログラム可能な論理デバイス、トランジスタ論理デバイス、ハードウェア部品、又はそれらのあらゆる組み合わせであってよい。コントローラ／プロセッサは、本発明で開示される内容を参照して記載される様々な例となる論理ブロック、モジュール、及び回路を実装又は実行してよい。代替的に、プロセッサは、演算機能を実装するプロセッサの組み合わせ、例えば、１つ以上のマイクロプロセッサの組み合わせ、又はＤＳＰとマイクロプロセッサとの組み合わせであってよい。通信ユニット２００３は、通信インターフェイス、トランシーバ、トランシーバ回路、などであってよい。通信インターフェイスは、一般用語であり、１つ以上のインターフェイス、例えば、第２管理ユニットと第１管理ユニットとの間のインターフェイス、又は第２管理ユニットと第３管理ユニットとの間のインターフェイスを含んでよい。記憶ユニット２００１はメモリであってよい。
【０１６２】
処理ユニット２００２がプロセッサであり、通信ユニット２００３が通信インターフェイスであり、記憶ユニット２００１がメモリであるとき、本発明のこの実施形態における第２管理ユニットは、図８に示される第２管理ユニットであってよい。
【０１６３】
図８に示されるように、第１管理ユニット２０１０は、プロセッサ２０１２、通信インターフェイス２０１３、及びメモリ２０１１を含む。任意に、第１管理ユニット２０１０はバス２０１４を更に含んでよい。通信インターフェイス２０１３、プロセッサ２０１２、及びメモリ２０１１は、バス２０１４を使用することによって互いに接続され得る。バス２０１４は、ＰＣＩバス、ＥＩＳＡバス、などであってよい。バス２０１４は、アドレス・バス、データ・バス、制御バス、などに分類され得る。表現の簡単のために、ただ１つの太線しか、図８でバスを表すために使用されないが、これは、１つのバス又は一種類のバスしか存在しないことを意味するものではない。
【０１６４】
図７又は図８に示される第２管理ユニットは、ＣＮ−Ｄｏｍａｉｎ−Ｏ、ＲＡＮ−Ｄｏｍａｉｎ−Ｏ、ＣＮ−ＮＦ−ＣＴＲＬ、ＲＡＮ−ＮＦ−ＣＴＲＬ、ＥＭＳ、などであってよい。
【０１６５】
図９は、集積ユニットが使用されるときに、前述の実施形態における第３管理ユニットの考えられる構造の概略図である。第３管理ユニット３０００は、処理ユニット３００２及び通信ユニット３００３を含む。処理ユニット３００２は、第３管理ユニットの動作を制御及び管理するよう構成される。例えば、処理ユニット３００２は、第３管理ユニットが図２におけるＳ１０７のプロセス、及び／又は本明細書中で記載される技術の他のプロセスを実行するためのサポートを提供するよう構成される。通信ユニット３００３は、第３管理ユニットと他のネットワーク・エンティティとの間の通信、例えば、第３管理ユニットと第２管理ユニットとの間の通信をサポートするよう構成される。第３管理ユニットは、第３管理ユニットのプログラム・コード及びデータを記憶するよう構成された記憶ユニット３００１を更に含んでよい。
【０１６６】
処理ユニット３００２はプロセッサ又はコントローラであってよく、例えば、ＣＰＵ、汎用プロセッサ、ＤＳＰ、ＡＳＩＣ、ＦＰＧＡ若しくは他のプログラム可能な論理デバイス、トランジスタ論理デバイス、ハードウェア部品、又はそれらのあらゆる組み合わせであってよい。コントローラ／プロセッサは、本発明で開示される内容を参照して記載される様々な例となる論理ブロック、モジュール、及び回路を実装又は実行してよい。代替的に、プロセッサは、演算機能を実装するプロセッサの組み合わせ、例えば、１つ以上のマイクロプロセッサの組み合わせ、又はＤＳＰとマイクロプロセッサとの組み合わせであってよい。通信ユニット３００３は、通信インターフェイス、トランシーバ、トランシーバ回路、などであってよい。通信インターフェイスは、一般用語であり、１つ以上のインターフェイス、例えば、第３管理ユニットと第２管理ユニットとの間のインターフェイスを含んでよい。記憶ユニット３００１はメモリであってよい。
【０１６７】
処理ユニット３００２がプロセッサであり、通信ユニット３００３が通信インターフェイスであり、記憶ユニット３００１がメモリであるとき、本発明のこの実施形態における第３管理ユニットは、図１０に示される第３管理ユニットであってよい。
【０１６８】
図１０に示されるように、第３管理ユニット３０１０は、プロセッサ３０１２、通信インターフェイス３０１３、及びメモリ３０１１を含む。任意に、第３管理ユニット３０１０はバス３０１４を更に含んでよい。通信インターフェイス３０１３、プロセッサ３０１２、及びメモリ３０１１は、バス３０１４を使用することによって互いに接続され得る。バス３０１４は、ＰＣＩバス、ＥＩＳＡバス、などであってよい。バス３０１４は、アドレス・バス、データ・バス、制御バス、などに分類され得る。表現の簡単のために、ただ１つの太線しか、図８でバスを表すために使用されないが、これは、１つのバス又は一種類のバスしか存在しないことを意味するものではない。
【０１６９】
図９又は図１０に示される第２管理ユニットは、ＣＮ−ＮＦ−ＣＴＲＬ、ＣＮ−ＮＦ−Ｍａｎａｇｅｒ、ＲＡＮ−ＮＦ−ＣＴＲＬ、ＲＡＮ  ＮＦ  Ｍａｎａｇｅｒ、などであってよい。
【０１７０】
本発明の実施形態で開示される内容と組み合わせて記載される方法又はアルゴリズムのステップは、ハードウェアによって実施されてよく、あるいは、プロセッサがソフトウェア命令を実行することによって実施されてよい。ソフトウェア命令は、対応するソフトウェア・モジュールを含んでよい。ソフトウェア・モジュールは、ランダム・アクセス・メモリ（Random  Access  Memory，ＲＡＭ）、フラッシュ・メモリ、リード・オンリー・メモリ（Read  Only  Memory，ＲＯＭ）、消去可能なプログラム可能リード・オンリー・メモリ（Erasable  Programmable  ROM，ＥＰＲＯＭ）、電気的消去可能なプログラム可能リード・オンリー・メモリ（Electrically  EPROM，ＥＥＰＲＯＭ）、レジスタ、ハード・ディスク、リムーバブル・ハード・ディスク、コンパクト・ディスク・リード・オンリー・メモリ（ＣＤ−ＲＯＭ）、又は当該技術でよく知られているあらゆる他の形態の記憶媒体において記憶されてよい。例えば、記憶媒体はプロセッサへ結合され、それにより、プロセッサは、情報を記憶媒体から読み出し、又は情報を記憶媒体に書き込むことができる。確かに、記憶媒体はプロセッサの構成要素であってよい。プロセッサ及び記憶媒体はＡＳＩＣに位置してよい。その上、ＡＳＩＣは第１管理ユニット、第２管理ユニット、又は第３管理ユニットに位置してよい。確かに、プロセッサ及び記憶媒体は、代替的に、第１管理ユニット、第２管理ユニット、又は第３管理ユニットにおいて別個の構成要素として位置してよい。
【０１７１】
当業者は、前述の１つ以上の例で、本発明の実施形態で記載される機能がハードウェア、ソフトウェア、ファームウェア、又はそれらのあらゆる組み合わせによって実施されてよいと気付くはずである。ソフトウェアによって実施されるとき、それらの機能は、コンピュータ可読媒体において記憶され、あるいは、コンピュータ可読媒体において１つ以上の命令又はコードとして送信されてよい。コンピュータ可読媒体はコンピュータ記憶媒体及び通信媒体を含み、ここで、通信媒体は、コンピュータ・プログラムが１つの場所から他の場所へ送信されることを可能にする如何なる媒体も含む。記憶媒体は、汎用の又は特別目的のコンピュータがアクセス可能な如何なる利用可能な媒体であってもよい。
【０１７２】
前述の具体的な実施では、本発明の実施形態の目的、技術的解決法、及び有利な効果が更に詳細に記載されている。前述の記載は、本発明の実施形態の具体的な実施にすぎず、本発明の実施形態の保護範囲を制限するよう意図されないことが理解されるべきである。本発明の実施形態の技術的解決法に基づき行われる如何なる、変更、同等の置換、改善、なども、本発明の実施形態の保護範囲内にあるべきである。
【図１】
2019534643.tif 000003
【図２】
2019534643.tif 000004
【図３】
2019534643.tif 000005
【図４】
2019534643.tif 000006
【図５】
2019534643.tif 000007
【図６】
2019534643.tif 000008
【図７】
2019534643.tif 000009
【図８】
2019534643.tif 000010
【図９】
2019534643.tif 000011
【図１０】
2019534643.tif 000012
【手続補正書】
【提出日】令和1年6月27日(2019.6.27)
【手続補正１】
【補正対象書類名】特許請求の範囲
【補正対象項目名】全文
【補正方法】変更
【補正の内容】
【特許請求の範囲】
【請求項１】
ネットワーク・スライスの管理の方法であって、
第１管理ユニットによって第１管理要求を受けることであり、前記第１管理要求は、ネットワーク・スライスの要件情報又はインジケーション情報を運び、前記インジケーション情報は、前記ネットワーク・スライスの前記要件情報を得るために使用され、前記第１管理要求は、前記第１管理ユニットに、前記ネットワーク・スライスの前記要件情報に基づき前記ネットワーク・スライスを管理するよう指示するために使用される、前記受けることと、
前記第１管理ユニットによって、前記ネットワーク・スライスを形成するサブネットの要件情報を決定することであり、前記サブネットの前記要件情報は、前記サブネットを管理するために使用され、前記ネットワーク・スライスは、少なくとも１つのサブネットを有する、前記決定することと
を有する方法。
【請求項２】
前記第１管理ユニットによって第２管理要求を第２管理ユニットへ送ることを更に有し、
前記第２管理要求は、前記サブネットの前記要件情報を運び、前記第２管理要求は、前記第２管理ユニットに、前記サブネットの前記要件情報に基づき前記サブネットを管理するよう指示するために使用される、
請求項１に記載の方法。
【請求項３】
前記第１管理ユニットによって第１管理要求を受けることの後で、当該方法は、
前記第１管理ユニットによってネットワーク・スライス識別子を前記ネットワーク・スライスに割り当てること
を更に有する、
請求項１又は２に記載の方法。
【請求項４】
前記第２管理要求は更に、前記ネットワーク・スライス識別子を運ぶ、
請求項３に記載の方法。
【請求項５】
前記第１管理ユニットによって前記サブネットの識別子を前記第２管理ユニットから受けることを更に有する
請求項３に記載の方法。
【請求項６】
前記第１管理ユニットによって前記サブネットの前記識別子を前記ネットワーク・スライス識別子と関連付けることを更に有する
請求項５に記載の方法。
【請求項７】
前記第１管理ユニットによって、前記サブネットの前記要件情報を満足するサブネット・インスタンスを既存のネットワークから選択することを更に有する
請求項１に記載の方法。
【請求項８】
前記第１管理ユニットによって前記サブネット・インスタンスの識別子を前記ネットワーク・スライス識別子と関連付けることを更に有する
請求項７に記載の方法。
【請求項９】
前記第１管理要求が前記インジケーション情報を運ぶ場合に、第１管理ユニットによって第１管理要求を受けることの後で、当該方法は、
前記第１管理ユニットによって前記インジケーション情報に基づきネットワーク・スライス記述子を得ることと、
前記第１管理ユニットによって前記ネットワーク・スライス記述子に基づき前記ネットワーク・スライスの前記要件情報を得ることと
を更に有する、
請求項１乃至８のうちいずれか一項に記載の方法。
【請求項１０】
前記第１管理ユニットによって、前記ネットワーク・スライスを形成するサブネットの要件情報を決定することは、
前記第１管理ユニットによって、前もってセットされたルールに従って、前記サブネットの前記要件情報を決定することを有する、
請求項１乃至９のうちいずれか一項に記載の方法。
【請求項１１】
前記サブネットを管理することは、前記サブネットを作り出すこと、選択すること、構成すること、又はアクティブにすることを有する、
請求項１乃至１０のうちいずれか一項に記載の方法。
【請求項１２】
前記ネットワーク・スライスの前記要件情報は、次のもの：前記ネットワーク・スライスのタイプ、前記ネットワーク・スライスのサービス・レベル・アグリメント（ＳＬＡ）情報、前記ネットワーク・スライスのデプロイメント情報、前記ネットワーク・スライスのキー・パフォーマンス・インジケータ（ＫＰＩ）、前記ネットワーク・スライスのネットワーク特性、前記ネットワーク・スライスのユーザ情報、又は前記ネットワーク・スライスによって提供されるサービスに関する情報、の中の少なくとも１つを有する、
請求項１乃至１１のうちいずれか一項に記載の方法。
【請求項１３】
前記サブネットの前記要件情報は、次のもの：前記サブネットのタイプ、前記サブネットのＳＬＡ情報、前記サブネットのデプロイメント情報、前記サブネットのＫＰＩ、又は前記サブネットの機能特性、の中の少なくとも１つを有する、
請求項１乃至１２のうちいずれか一項に記載の方法。
【請求項１４】
処理ユニット及び通信ユニットを有する第１管理ユニットであって
前記処理ユニットは、前記通信ユニットを使用することによって第１管理要求を受けるよう構成され、前記第１管理要求は、ネットワーク・スライスの要件情報又はインジケーション情報を運び、前記インジケーション情報は、前記ネットワーク・スライスの前記要件情報を得るために使用され、前記第１管理要求は、当該第１管理ユニットに、前記ネットワーク・スライスの前記要件情報に基づき前記ネットワーク・スライスを管理するよう指示するために使用され、
前記処理ユニットは、前記ネットワーク・スライスを形成するサブネットの要件情報を決定するよう構成され、前記サブネットの前記要件情報は、前記サブネットを管理するために使用され、前記ネットワーク・スライスは、少なくとも１つのサブネットを有する、
第１管理ユニット。
【請求項１５】
前記処理ユニットは更に、前記通信ユニットを使用することによって第２管理要求を第２管理ユニットへ送るよう構成され、
前記第２管理要求は、前記サブネットの前記要件情報を運び、前記第２管理要求は、前記第２管理ユニットに、前記サブネットの前記要件情報に基づき前記サブネットを管理するよう指示するために使用される、
請求項１４に記載の第１管理ユニット。
【請求項１６】
前記処理ユニットは更に、ネットワーク・スライス識別子を前記ネットワーク・スライスに割り当てるよう構成される、
請求項１４又は１５に記載の第１管理ユニット。
【請求項１７】
前記第２管理要求は更に、前記ネットワーク・スライス識別子を運ぶ、
請求項１６に記載の第１管理ユニット。
【請求項１８】
前記処理ユニットは更に、前記通信ユニットを使用することによって前記サブネットの識別子を前記第２管理ユニットから受けるよう構成される、
請求項１６に記載の第１管理ユニット。
【請求項１９】
前記処理ユニットは更に、前記サブネットの前記識別子を前記ネットワーク・スライス識別子と関連付けるよう構成される、
請求項１８に記載の第１管理ユニット。
【請求項２０】
前記処理ユニットは更に、前記サブネットの前記要件情報を満足するサブネット・インスタンスを既存のネットワークから選択するよう構成される、
請求項１４に記載の第１管理ユニット。
【請求項２１】
前記処理ユニットは更に、前記サブネット・インスタンスの識別子を前記ネットワーク・スライス識別子と関連付けるよう構成される、
請求項２０に記載の第１管理ユニット。
【請求項２２】
前記第１管理要求が前記インジケーション情報を運ぶ場合に、前記処理ユニットは更に、前記インジケーション情報に基づきネットワーク・スライス記述子を得、該ネットワーク・スライス記述子に基づき前記ネットワーク・スライスの前記要件情報を得るよう構成される、
請求項１４乃至２１のうちいずれか一項に記載の第１管理ユニット。
【請求項２３】
前記処理ユニットは、前もってセットされたルールに従って、前記サブネットの前記要件情報を決定するよう構成される、
請求項１４乃至２２のうちいずれか一項に記載の第１管理ユニット。
【請求項２４】
前記サブネットを管理することは、前記サブネットを作り出すこと、選択すること、構成すること、又はアクティブにすることを有する、
請求項１４乃至２３のうちいずれか一項に記載の第１管理ユニット。
【請求項２５】
前記ネットワーク・スライスの前記要件情報は、次のもの：前記ネットワーク・スライスのタイプ、前記ネットワーク・スライスのサービス・レベル・アグリメント（ＳＬＡ）情報、前記ネットワーク・スライスのデプロイメント情報、前記ネットワーク・スライスのキー・パフォーマンス・インジケータ（ＫＰＩ）、前記ネットワーク・スライスのネットワーク特性、前記ネットワーク・スライスのユーザ情報、又は前記ネットワーク・スライスによって提供されるサービスに関する情報、の中の少なくとも１つを有する、
請求項１４乃至２４のうちいずれか一項に記載の第１管理ユニット。
【請求項２６】
前記サブネットの前記要件情報は、次のもの：前記サブネットのタイプ、前記サブネットのＳＬＡ情報、前記サブネットのデプロイメント情報、前記サブネットのＫＰＩ、又は前記サブネットの機能特性、の中の少なくとも１つを有する、
請求項１４乃至２５のうちいずれか一項に記載の第１管理ユニット。
【請求項２７】
コンピュータによって実行されるときに、該コンピュータに、請求項１乃至１３のうちいずれ一項に記載の方法を実行させる命令を有するコンピュータ可読記憶媒体。
【請求項２８】
コンピュータに、請求項１乃至１３のうちいずれか一項に記載の方法を実行させるプログラム。
【手続補正２】
【補正対象書類名】明細書
【補正対象項目名】００１０
【補正方法】変更
【補正の内容】
【００１０】
可能な設計では、サブネットの要件情報を決定した後に、第１管理ユニットは更に、第２管理要求を第２管理ユニットへ送ってよく、ここで、第２管理要求はサブネットの要件情報を運ぶ。第２管理要求は、第２管理ユニットに、サブネットの要件情報に基づきサブネットを管理するよう指示するために使用される。
【手続補正３】
【補正対象書類名】明細書
【補正対象項目名】００３５
【補正方法】変更
【補正の内容】
【００３５】
ネットワーク・スライスの要件情報は、次のもの：ネットワーク・スライスのタイプ、ネットワーク・スライスに関するＳＬＡ情報、ネットワーク・スライスのデプロイメント情報、ネットワーク・スライスのキー・パフォーマンス・インジケータ（ＫＰＩ）、ネットワーク・スライスのネットワーク特性、ネットワーク・スライスのユーザ情報、又はネットワーク・スライスによって提供されるサービスに関する情報、の中の少なくとも１つを含んでよい。
【手続補正４】
【補正対象書類名】明細書
【補正対象項目名】０１５１
【補正方法】変更
【補正の内容】
【０１５１】
Ｓ３０７ｂが実行される場合には、Ｓ３０５及びＳ３０６は実行される必要がなく；あるいは、Ｓ３０７ａが実行される場合には、Ｓ３０５及びＳ３０６は実行され得、ステップＳ３０７ａ、Ｓ３０８、及びＳ３０９の実行とステップＳ３０５及びＳ３０６の実行との間には時間順序関連性がないことが留意されるべきである。換言すれば、ステップＳ３０７ａ、Ｓ３０８、及びＳ３０９は、ステップＳ３０５及びＳ３０６の前、後、又は同時に実行されてよく、これは本発明のこの実施形態において制限されない。
【手続補正５】
【補正対象書類名】明細書
【補正対象項目名】０１６３
【補正方法】変更
【補正の内容】
【０１６３】
図８に示されるように、第２管理ユニット２０１０は、プロセッサ２０１２、通信インターフェイス２０１３、及びメモリ２０１１を含む。任意に、第２管理ユニット２０１０はバス２０１４を更に含んでよい。通信インターフェイス２０１３、プロセッサ２０１２、及びメモリ２０１１は、バス２０１４を使用することによって互いに接続され得る。バス２０１４は、ＰＣＩバス、ＥＩＳＡバス、などであってよい。バス２０１４は、アドレス・バス、データ・バス、制御バス、などに分類され得る。表現の簡単のために、ただ１つの太線しか、図８でバスを表すために使用されないが、これは、１つのバス又は一種類のバスしか存在しないことを意味するものではない。
【手続補正６】
【補正対象書類名】明細書
【補正対象項目名】０１６８
【補正方法】変更
【補正の内容】
【０１６８】
図１０に示されるように、第３管理ユニット３０１０は、プロセッサ３０１２、通信インターフェイス３０１３、及びメモリ３０１１を含む。任意に、第３管理ユニット３０１０はバス３０１４を更に含んでよい。通信インターフェイス３０１３、プロセッサ３０１２、及びメモリ３０１１は、バス３０１４を使用することによって互いに接続され得る。バス３０１４は、ＰＣＩバス、ＥＩＳＡバス、などであってよい。バス３０１４は、アドレス・バス、データ・バス、制御バス、などに分類され得る。表現の簡単のために、ただ１つの太線しか、図１０でバスを表すために使用されないが、これは、１つのバス又は一種類のバスしか存在しないことを意味するものではない。
【手続補正７】
【補正対象書類名】明細書
【補正対象項目名】０１６９
【補正方法】変更
【補正の内容】
【０１６９】
図９又は図１０に示される第３管理ユニットは、ＣＮ−ＮＦ−ＣＴＲＬ、ＣＮ−ＮＦ−Ｍａｎａｇｅｒ、ＲＡＮ−ＮＦ−ＣＴＲＬ、ＲＡＮ−ＮＦ−Ｍａｎａｇｅｒ、などであってよい。
【国際調査報告】
2019534643.tif 000013
2019534643.tif 000014
2019534643.tif 000015
2019534643.tif 000016